(57)【要約】  【課題】  携帯電話端末を充電するために該携帯電話端末を装填した状態であっても、前記携帯電話端末の充電／着信状態等を光で報知するための前記携帯電話端末が有する発光部の発光状態を、前記発光部の設けられた位置に拘わらず、容易に認識できるようにした携帯電話端末充電用フォルダを提供する。  【解決手段】  携帯電話端末１を充電する際に携帯電話端末１を装填する携帯電話端末充電用フォルダ２において、装填された携帯電話端末１に備えられた充電時及び／または着信時に発光する充電／着信発光部１３からの光を受光する充電／着信受光部２１と、充電／着信受光部２１が充電／着信発光部１３からの光を受光しているときに発光する充電／着信表示用発光部２２とを設ける。【選択図】      図２
2005150782.tif 000002
【特許請求の範囲】
【請求項１】
携帯電話端末を充電する際に該携帯電話端末を装填する携帯電話端末充電用フォルダにおいて、
装填された前記携帯電話端末に備えられた発光部からの光を受光する受光部と、
該受光部が前記発光部からの光を受光しているときに発光する表示用発光部と、
を設けたことを特徴とする携帯電話端末充電用フォルダ。
【請求項２】
携帯電話端末を充電する際に該携帯電話端末を装填する携帯電話端末充電用フォルダにおいて、
装填された前記携帯電話端末に備えられた充電時及び／または着信時に発光する充電／着信発光部からの光を受光する充電／着信受光部と、
該充電／着信受光部が前記充電／着信発光部からの光を受光しているときに発光する充電／着信表示用発光部と、
を設けたことを特徴とする携帯電話端末充電用フォルダ。
【請求項３】
前記携帯電話端末が装填されていることを検出する検出部を設け、
前記検出部が前記携帯電話端末の装填を検出しているときであって、前記充電／着信受光部が前記充電／着信発光部からの光を受光しているときに、前記充電／着信表示用発光部が発光するようにしたことを特徴とする請求項２に記載の携帯電話端末充電用フォルダ。
【発明の詳細な説明】
【技術分野】
【０００１】
本発明は、携帯電話端末を充電する際に、該携帯電話端末を装填する携帯電話端末充電用フォルダに関するものである。
【背景技術】
【０００２】
駆動電源としての蓄電池を内蔵した携帯電話端末を充電する場合、携帯電話端末を購入する際にオプション或いは付属品として共に購入した充電用フォルダに、この携帯電話端末を装填して充電を行うことがよく行われている。このような充電用フォルダは、家庭用の商用電源を充電用電源に変換するＡＣ／ＤＣコンバータと一体になった形状のものや、前記ＡＣ／ＤＣコンバータと電気コードで接続される形状のものなどがあり、装填された携帯電話端末の充電用端子と接触する接触端子を有し、この接触端子を介して前記ＡＣ／ＤＣコンバータから供給される充電用電源で装填された携帯電話端末を充電するようになっている。
【０００３】
また、多くの携帯電話端末は充電時や着信時に発光する発光部を備えており、この発光部からの光により携帯電話端末の状態をユーザに認識させるようにしているが、このような携帯電話端末を充電用フォルダに装填して充電する場合、携帯電話端末の構造上の制約から携帯電話端末の発光部が充電用フォルダによって遮蔽され、ユーザが直接この発光部を見ることができず、携帯電話端末の状態を認識できない場合があった。
【０００４】
この問題を解決するため、従来、充電用フォルダの一部に導光部材を使用することによって、携帯電話端末の発光部の発光状態を認識できるようにしたものがある。以下に、この従来の充電用フォルダの構成を図６を参照して説明する。図６は、充電対象となる携帯電話端末と従来の充電用フォルダの外観を概略的に示す斜視図である。
【０００５】
図６において、１は蓄電池（不図示）を内蔵した折り畳み式の携帯電話端末であり、２は携帯電話端末１を充電する際に携帯電話端末１を装填する従来の充電用フォルダである。携帯電話端末１は、携帯電話端末１を充電用フォルダ２に装填したときに充電用フォルダ２と対向する面に、携帯電話端末１の充電時や着信時に発光する充電／着信発光部（発光部）１３を備えている。また、充電用フォルダ２は、導光部材２４（斜線部）を備えており、導光部材２４は携帯電話端末１が装填されたときに携帯電話端末１と対向する面上に、携帯電話端末１の充電／着信発光部１３と対向する部分から充電用フォルダ２の一方の側面にわたって設けられている。
【０００６】
このような構成により、充電用フォルダ２に携帯電話端末１が装填されたときに、充電／着信発光部１３からの光は導光部材２４によって充電用フォルダ２の前記一方の側面に導入される。即ち、携帯電話端末１が充電用フォルダ２に装填された状態においては、ユーザは携帯電話端末１の充電／着信発光部１３を外部から直接見ることはできないが、導光部材２４により導入された充電／着信発光部１３からの光を充電用フォルダ２の一方の側面から間接的に見ることができ、携帯電話端末１の充電状態や着信状態を認識することができる。
【０００７】
また、充電用電源を有する基台と、携帯用無線機器が挿入される奥部に弾性接点を設けたホルダーと、前記基台および前記ホルダーを回動自在に機械的に結合するとともに、前記充電用電源と前記弾性接点とを回動自在に電気的に接続する回動結合部材とを具備する携帯用無線機器の充電台が提案されている（例えば、特許文献１参照）。
【特許文献１】特開平７―１７７２１３号公報
【発明の開示】
【発明が解決しようとする課題】
【０００８】
しかしながら、図６に示す従来の充電用フォルダ２は、携帯電話端末１の充電／着信発光部１３の発光状態に関して、導光部材２４を用いて間接的に視認することができるようにしているだけであり、充電用フォルダ２の一方の側面に導光部材２４により導入される光は、充電用フォルダ２から離れた位置にいるユーザが容易に視認することができるだけの十分な光量を有しておらず、ユーザは携帯電話端末１の充電／着信発光部１３の発光状態を容易に認識できないという問題があった。特に、充電用フォルダ２の周囲が明るい場合には、ユーザは携帯電話端末１の充電／着信発光部１３の発光状態を認識できないという問題があった。
【０００９】
また、導光部材２４を屈曲させるなどして配置すると、導入される光の光量は更に減少するので、導光部材２４の配置にはかなりの制約がある。そのため、充電／着信発光部１３からの光をユーザが視認しやすい所望の位置へ導入することができないという問題があった。
【００１０】
また、特許文献１に記載の従来技術では、充電のために携帯用無線機器本体をホルダーに挿入した状態で携帯用無線機器本体を任意の姿勢に保持できるので、ユーザは携帯用無線機器機の表示の確認をすることはできるが、あくまで携帯用無線機器の表示部がホルダーによって遮蔽されない位置に設けられていることが条件であり、携帯用無線機器の表示部がホルダーによって遮蔽される位置に設けられている場合においては、ユーザは携帯用無線機器の表示の確認ができないという問題があった。
【００１１】
本発明は、上記の点に鑑み、携帯電話端末を充電するために該携帯電話端末を装填した状態であっても、前記携帯電話端末の充電／着信状態等を光で報知するための前記携帯電話端末が有する発光部の発光状態を、前記発光部の設けられた位置に拘わらず、容易に認識できるようにした携帯電話端末充電用フォルダを提供することを目的とする。
【課題を解決するための手段】
【００１２】
上記目的を達成するために本発明は、携帯電話端末を充電する際に該携帯電話端末を装填する携帯電話端末充電用フォルダにおいて、装填された前記携帯電話端末に備えられた発光部からの光を受光する受光部と、該受光部が前記発光部からの光を受光しているときに発光する表示用発光部とを設けたものである。
【００１３】
このようにすると、前記携帯電話端末を前記携帯電話端末充電用フォルダに装填した状態では、前記携帯電話端末の発光部が前記携帯電話端末充電用フォルダによって遮蔽され外部から見ることができない場合においても、前記発光部と同様の発光を行う前記表示用発光部を見ることで、前記発光部の発光状態を容易に認識することができる。また、前記表示用発光部は、視認性の良い所望の位置に設けることができるとともに、ユーザの視認に対し十分な光量を得ることができるので、前記携帯電話端末の前記発光部の発光状態を更に容易に認識することができる。
【００１４】
また、例えば、携帯電話端末を充電する際に該携帯電話端末を装填する携帯電話端末充電用フォルダにおいて、装填された前記携帯電話端末に備えられた充電時及び／または着信時に発光する充電／着信発光部からの光を受光する充電／着信受光部と、該充電／着信受光部が前記充電／着信発光部からの光を受光しているときに発光する充電／着信表示用発光部とを設けると良い。
【００１５】
このようにすると、前記携帯電話端末を前記携帯電話端末充電用フォルダに装填した状態では、前記携帯電話端末の充電／着信発光部が前記携帯電話端末充電用フォルダによって遮蔽され外部から見ることができない場合においても、前記充電／着信発光部と同様の発光を行う前記充電／着信表示用発光部を見ることで、前記携帯電話端末の充電状態／着信状態を容易に認識することができる。また、前記充電／着信表示用発光部は、視認性の良い所望の位置に設けることができるとともに、ユーザの視認に対し十分な光量を得ることができるので、前記携帯電話端末の充電状態／着信状態を更に容易に認識することができる。
【００１６】
また、例えば、前記携帯電話端末が装填されていることを検出する検出部を設け、前記検出部が前記携帯電話端末の装填を検出しているときであって、前記充電／着信受光部が前記充電／着信発光部からの光を受光しているときに、前記充電／着信表示用発光部が発光するようにすると良い。
【００１７】
このようにすると、前記携帯電話端末充電用フォルダに前記携帯電話端末が装填されていないときに、前記充電／着信受光部が前記携帯電話端末の前記充電／着信発光部からの光ではない他の発光体からの光を受光し、それにより前記充電／着信表示用発光部が発光するという誤動作を防止することができる。
【発明の効果】
【００１８】
本発明によると、携帯電話端末を充電する際に該携帯電話端末を装填する携帯電話端末充電用フォルダにおいて、装填された前記携帯電話端末に備えられた発光部からの光を受光する受光部と、該受光部が前記発光部からの光を受光しているときに発光する表示用発光部とを設けたので、前記携帯電話端末を前記携帯電話端末充電用フォルダに装填した状態では、前記携帯電話端末の発光部が前記携帯電話端末充電用フォルダによって遮蔽され外部から見ることができない場合においても、前記発光部と同様の発光を行う前記表示用発光部を見ることで、前記発光部の発光状態を容易に認識することができる。また、前記表示用発光部は、視認性の良い所望の位置に設けることができるとともに、ユーザの視認に対し十分な光量を得ることができるので、前記携帯電話端末の前記発光部の発光状態を更に容易に認識することができる。
【発明を実施するための最良の形態】
【００１９】
以下に、本発明の実施形態を図面を参照して説明する。図１は、本発明の実施形態の充電用フォルダの外観を概略的に示す斜視図であり、図２は図１に示す充電用フォルダに携帯電話端末が装填されている状態を示す斜視図である。図１、図２において、図６と同一の部分には同一の符号を付している。図１において、２は携帯電話端末を充電する際にこの携帯電話端末を装填する充電用フォルダ（携帯電話端末充電用フォルダ）である。また、図２において、１は図６に示す携帯電話端末である。
【００２０】
図１に示す充電用フォルダ２は、充電／着信受光部（受光部）２１と充電／着信受光部２１の受光に応じて発光する充電／着信表示用発光部（表示用発光部）２２を備えている。充電／着信受光部２１は、図２に示すように携帯電話端末１が充電のために充電用フォルダ２に装填されたときに、携帯電話端末１の充電／着信発光部１３と対向する部分に設けられている。また、充電／着信表示用発光部２２は、図２に示すように携帯電話端末１が充電のために充電用フォルダ２に装填された状態であっても、携帯電話端末１によって遮蔽されることのない位置であって、充電用フォルダ２から離れた場所にいるユーザから容易に視認できる位置に設けられている。
【００２１】
図３は、図２に示す携帯電話端末１と充電用フォルダ２の電気的構成を示すブロック図である。図３において、図２と同一の部分には同一の符号を付している。図３に示す携帯電話端末１は、無線による送受信を行う無線部１１と、携帯電話端末１の全体の制御を行う制御部１２と、携帯電話端末１の充電時や着信時に発光する充電／着信発光部１３から構成されている。また、図３に示す充電用フォルダ２は、携帯電話端末１の充電／着信発光部１３からの光を受光して電気信号に変換した受光信号を出力する充電／着信受光部２１と、充電／着信受光部２１から出力される受光信号に応じて発光する充電／着信表示用発光部２２から構成されている。
【００２２】
このような構成の充電用フォルダ２は、家庭用の商用電源を充電用電源に変換するＡＣ／ＤＣコンバータ（不図示）から供給される前記充電用電源を、充電用フォルダ２に装填された携帯電話端末１に伝達して携帯電話端末１を充電する。その際、制御部１２は、携帯電話端末１が充電状態になったことを検知すると充電／着信発光部１３を発光させ、携帯電話端末１が充電状態になっていることをユーザに報知する。また、制御部１２は、無線部１１が着信状態になると、充電／着信発光部１３を発光させ、携帯電話端末１が着信状態になっていることをユーザに報知する。
【００２３】
尚、充電時と着信時の充電／着信発光部１３の発光は、それぞれ予め定められた発光手順により行われるので、ユーザは充電／着信発光部１３の発光手順の違い（例えば、点灯と点滅等）を確認することによって、携帯電話端末１が充電状態になっているか、着信状態になっているかを区別して認識することができる。
【００２４】
そして、図２に示すように、携帯電話端末１を充電用フォルダ２に装填している状態においては、充電／着信発光部１３と充電／着信受光部２１とは互いに対向しているので、充電／着信発光部１３からの光は充電／着信受光部２１で受光され、充電／着信表示用発光部２２は充電／着信受光部２１からの受光信号に応じて発光する。即ち、充電／着信表示用発光部２２は充電／着信発光部１３の発光と同様の発光を行う。尚、このとき、充電／着信表示用発光部２２の発光のための電源は、上述したＡＣ／ＤＣコンバータ（不図示）から供給される充電用電源を用いている。
【００２５】
従って、図２に示すように、携帯電話端末１を充電用フォルダ２に装填している状態において、ユーザは、携帯電話端末１の充電／着信状態をユーザに報知するための充電／着信発光部１３からの光を外部から直接見ることはできないが、充電／着信発光部１３と同様の発光をする充電／着信表示用発光部２２からの光を見ることで、携帯電話端末１の充電／着信状態を認識することができる。即ち、充電／着信発光部１３が携帯電話端末１のどのような位置に設けられていても、充電／着信受光部２１を充電／着信発光部１３からの光を受光できる位置に設けることで、ユーザは充電／着信発光部１３と同様の発光をする充電／着信表示用発光部２２からの光を見ることで、携帯電話端末１の充電／着信状態を認識することができる。
【００２６】
図４は、図３に示す充電用フォルダ２の他の電気的構成を示すブロック図である。図４において、図３と同一の部分には同一の符号を付し、その詳細な説明を省略する。図４に示す充電用フォルダ２が図３に示す充電用フォルダ２と相違する点は、携帯電話端末１が装填されたことを検出する携帯電話装填検出部（検出部）２３が新たに設けられている点である。
【００２７】
携帯電話装填検出部２３は、充電用フォルダ２に携帯電話端末１が装填されているときに、検出信号を充電／着信受光部２１に与える。そして、充電／着信受光部２１は、携帯電話装填検出部２３からの検出信号が与えられているとき、且つ、携帯電話端末１の充電／着信発光部１３からの光を受光しているときに、受光した光を電気信号に変換した受光信号を充電／着信表示用発光部２２に出力する。
【００２８】
従って、充電／着信受光部２１から出力される受光信号に応じて発光する充電／着信表示用発光部２２は、充電用フォルダ２に携帯電話端末１が装填されているとき、且つ、充電／着信発光部１３が発光しているときに発光し、充電用フォルダ２に携帯電話端末１が装填されていないときには発光しない。
【００２９】
これにより、充電用フォルダ２に携帯電話端末１が装填されていないときに、充電／着信受光部２１が携帯電話端末１の充電／着信発光部１３からの光ではない他の発光体からの光を受光して受光信号を出力し、充電／着信表示用発光部２２が発光するという誤動作を防止することができる。尚、携帯電話装填検出部２３からの検出信号を充電／着信表示用発光部２２に与え、充電／着信表示用発光部２２は携帯電話装填検出部２３からの検出信号が与えられているときのみ発光可能にするという形態にしても良い。
【００３０】
図５は、充電／着信表示用発光部２２を設ける位置を説明するための充電用フォルダ２の斜視図である。図５において、図１と同一の部分には同一の符号を付し、その説明は省略する。図５において、Ａ、Ｂ、Ｃ、Ｄは充電／着信表示用発光部２２を設けることのできる位置を示している。位置Ａは図１に示す充電フォルダ２における充電／着信表示用発光部２２を設けた位置であり、充電／着信表示用発光部２２は、位置Ａの他に、位置Ｂ、Ｃ、Ｄなどに設けることができる。
【００３１】
また、充電／着信表示用発光部２２は、位置Ａ、Ｂ、Ｃ、Ｄ以外の位置に設けることも可能であるし、複数の位置に設けても構わない。このように、充電／着信表示用発光部２２を設ける位置に制約はなく、充電／着信表示用発光部２２をユーザの視認を容易にする所望の位置に設けることができるので、ユーザは携帯電話端末１の充電／着信状態を容易に認識することができる。更に、充電／着信表示用発光部２２の形状や発光色を、ユーザの視認を更に容易にする所望の形状や発光色にすることも可能である。
【００３２】
また、充電／着信表示用発光部２２は、上述したＡＣ／ＤＣコンバータ（不図示）から供給される充電用電源を発光用の電源として自ら発光するので、充電用フォルダ２の周囲が明るい場合であっても、また、ユーザが充電用フォルダ２から離れた場所にいる場合であっても、充電／着信表示用発光部２２からの光はユーザが容易に視認できる光量を確保することができ、ユーザは携帯電話端末１の充電／着信状態の認識を容易に行うことができる。
【００３３】
尚、本発明は上述の実施形態に限定されるものではなく、本発明の趣旨を逸脱しない範囲において各部の構成等を適宜に変更して実施することも可能である。
【産業上の利用可能性】
【００３４】
以上説明したように、本発明によると、携帯電話端末を充電する際に該携帯電話端末を装填する携帯電話端末充電用フォルダにおいて、装填された前記携帯電話端末に備えられた発光部からの光を受光する受光部と、該受光部が前記発光部からの光を受光しているときに発光する表示用発光部とを設けたので、前記携帯電話端末を前記携帯電話端末充電用フォルダに装填した状態では、前記携帯電話端末の発光部が前記携帯電話端末充電用フォルダによって遮蔽され外部から見ることができない場合においても、前記発光部と同様の発光を行う前記表示用発光部を見ることで、前記発光部の発光状態を容易に認識することができる。また、前記表示用発光部は、視認性の良い所望の位置に設けることができるとともに、ユーザの視認に対し十分な光量を得ることができるので、前記携帯電話端末の前記発光部の発光状態を更に容易に認識することができる。
【図面の簡単な説明】
【００３５】
【図１】本発明の実施形態の充電用フォルダの外観を概略的に示す斜視図である。
【図２】図１に示す充電用フォルダに携帯電話端末が装填されている状態を示す斜視図である。
【図３】図２に示す携帯電話端末と充電用フォルダの電気的構成を示すブロック図である。
【図４】図３に示す充電用フォルダの他の電気的構成を示すブロック図である。
【図５】図１に示す充電用フォルダの表示用発光部を設ける位置を説明するための斜視図である。
【図６】携帯電話端末と従来の充電用フォルダの外観を概略的に示す斜視図である。
【符号の説明】
【００３６】
１    携帯電話端末
２    充電用フォルダ（携帯電話端末充電用フォルダ）
１１    無線部
１２    制御部
１３    充電／着信発光部（発光部）
２１    充電／着信受光部（受光部）
２２    充電／着信表示用発光部（表示用発光部）
２３    携帯電話装填検出部（検出部）
【図１】
2005150782.tif 000003
【図２】
2005150782.tif 000004
【図３】
2005150782.tif 000005
【図４】
2005150782.tif 000006
【図５】
2005150782.tif 000007
【図６】
2005150782.tif 000008